(57)【要約】【課題】ロータリー耕耘装置において、ロータリーカバーのサイドカバーとダストカバーとを連結するボルトの頭部が露出されており、該ボルトの頭部が、耕耘土壌により摩耗して、緩むという不具合があった。【解決手段】ダストカバー２２と、ロータリーカバー１の両端部から下方に延設されるサイドカバー１ｃの下端部とを、ボルト５２により締結し、該ボルト５２の頭部を覆う保護カバー２３を薄板状部材により形成し、該保護カバー２３とサイドカバー１ｃとダストカバー２２を、前記ボルト５２により共締めし、該保護カバー２３をボルト５２の頭部５２ａ側へ押し潰すことで、該頭部５２ａの回転を阻止するボルト５２の緩み止め部材としても用いた。【選択図】図９
2008228739.tif 000002
【特許請求の範囲】
【請求項１】
耕耘軸（３）の軸受部に、該軸受部をカバーするダストカバー（２２）を設け、該ダストカバー（２２）の外周部を、爪軸（６）の方向である内側に延出して環状に形成した延出部（２２ａ）を設け、前記耕耘軸（３）の内側端部には外周方向に延設されるフランジ部（３ａ）を形成し、該フランジ部（３ａ）と、爪軸（６）の外側端部に形成されるフランジ部（６ｂ）とを接続する構成とし、前記ダストカバー（２２）の延出部（２２ａ）の先端は、前記耕耘軸（３）のフランジ部（３ａ）の外周まで達し、該延出部（２２ａ）とフランジ部（３ａ）の外周を摺接させ該軸受部を外部に対して密閉し、前記ダストカバー（２２）と、ロータリーカバー（１）の両端部から下方に延設されるサイドカバー（１ｃ）の下端部とを、ボルト（５２）により締結し、該ボルト（５２）の頭部を覆う保護カバー（２３）を薄板状部材により形成し、該保護カバー（２３）とサイドカバー（１ｃ）とダストカバー（２２）を、前記ボルト（５２）により共締めし、該保護カバー（２３）をボルト（５２）の頭部（５２ａ）側へ押し潰すことで、該頭部（５２ａ）の回転を阻止するボルト（５２）の緩み止め部材としても用いたことを特徴とするロータリー耕耘装置。
【発明の詳細な説明】
【技術分野】
【０００１】
本発明は、トラクタ等に装着されるロータリー耕耘装置の構成に関する。
【背景技術】
【０００２】
従来、トラクタ等の作業車両に装着されるサイドドライブ式のロータリー耕耘装置においては、従来技術文献１において記載されるように構成されていたのである。
【特許文献１】特開平４−３３５８０１号公報
【特許文献２】実開昭５９−７７３０７号公報
【発明の開示】
【発明が解決しようとする課題】
【０００３】
しかし、該従来技術においては、ロータリーカバーのサイドカバーと、ダストカバーとを連結するボルトの頭部が露出されており、該ボルトの頭部が、耕耘土壌により摩耗して、緩むという不具合があったのである。本発明は、このような不具合を解消せんとするものである。
【課題を解決するための手段】
【０００４】
本発明は、以上のような課題を解決するために、次のような手段を用いる。
【０００５】
請求項１においては、耕耘軸（３）の軸受部に、該軸受部をカバーするダストカバー（２２）を設け、該ダストカバー（２２）の外周部を、爪軸（６）の方向である内側に延出して環状に形成した延出部（２２ａ）を設け、前記耕耘軸（３）の内側端部には外周方向に延設されるフランジ部（３ａ）を形成し、該フランジ部（３ａ）と、爪軸（６）の外側端部に形成されるフランジ部（６ｂ）とを接続する構成とし、前記ダストカバー（２２）の延出部（２２ａ）の先端は、前記耕耘軸（３）のフランジ部（３ａ）の外周まで達し、該延出部（２２ａ）とフランジ部（３ａ）の外周を摺接させ該軸受部を外部に対して密閉し、前記ダストカバー（２２）と、ロータリーカバー（１）の両端部から下方に延設されるサイドカバー（１ｃ）の下端部とを、ボルト（５２）により締結し、該ボルト（５２）の頭部を覆う保護カバー（２３）を薄板状部材により形成し、該保護カバー（２３）とサイドカバー（１ｃ）とダストカバー（２２）を、前記ボルト（５２）により共締めし、該保護カバー（２３）をボルト（５２）の頭部（５２ａ）側へ押し潰すことで、該頭部（５２ａ）の回転を阻止するボルト（５２）の緩み止め部材としても用いたものである。
【発明の効果】
【０００６】
本発明は、以上のように構成したことにより、次のような効果が得られる。
【０００７】
請求項１記載の如く、耕耘軸（３）の軸受部に、該軸受部をカバーするダストカバー（２２）を設け、該ダストカバー（２２）の外周部を、爪軸（６）の方向である内側に延出して環状に形成した延出部（２２ａ）を設け、前記耕耘軸（３）の内側端部には外周方向に延設されるフランジ部（３ａ）を形成し、該フランジ部（３ａ）と、爪軸（６）の外側端部に形成されるフランジ部（６ｂ）とを接続する構成とし、前記ダストカバー（２２）の延出部（２２ａ）の先端は、前記耕耘軸（３）のフランジ部（３ａ）の外周まで達し、該延出部（２２ａ）とフランジ部（３ａ）の外周を摺接させ該軸受部を外部に対して密閉したので、草や藁等の異物が軸受部へ侵入することを完全に防いで、耕耘軸の駆動回転に影響を及ぼすことを防止することができる。
【０００８】
また、前記ダストカバー（２２）と、ロータリーカバー（１）の両端部から下方に延設されるサイドカバー（１ｃ）の下端部とを、ボルト（５２）により締結し、該ボルト（５２）の頭部を覆う保護カバー（２３）を薄板状部材により形成し、該保護カバー（２３）とサイドカバー（１ｃ）とダストカバー（２２）を、前記ボルト（５２）により共締めし、該保護カバー（２３）をボルト（５２）の頭部（５２ａ）側へ押し潰すことで、該頭部（５２ａ）の回転を阻止するボルト（５２）の緩み止め部材としても用いたので、特別な部材を設けることなく、容易にボルト部材の緩みを防止することが可能となる。
【発明を実施するための最良の形態】
【０００９】
本発明の解決すべき課題及び手段は以上の如くであり、次に添付の図面に示した本発明の一実施例を説明する。
【００１０】
図１は本発明のロータリー耕耘装置を示す平面図、図２はフロントカバーの支持部を示す側面図、図３はフロントカバーを支持するブラケットとチェーンケースとの接続部を示す平面図、図４は同じく正面図、図５はロアアーム及びリヤカバーヒンジのロータリーカバーへの取付部を示す側面図、図６は同じく後面図である。
【００１１】
図７はロアアームのロータリーカバーへの取付部を示す拡大側面図、図８はリヤカバーヒンジのロータリーカバーへの取付部を示す拡大側面図、図９は耕耘軸のチェーンケース側の軸受部を示す後面図、図１０は耕耘軸の側板側の軸受部を示す後面図、図１１はダストカバーとサイドカバーとを締結するボルトの保護カバーを示す後面図である。
【００１２】
本発明のロータリー耕耘装置の全体構成について説明する。図１、図２に示すように、ロータリー耕耘装置のロータリー入力ギアケース５の内部には、左右中央部にＰＴＯ入力部が形成されていて、トラクタのＰＴＯ軸にユニバーサルジョイントを介して連結される入力軸４３が該ロータリー入力ギアケース５から前方に突出されている。ロータリー入力ギアケース５は左右に一対のロアリンクブラケット５ｂ・５ｂを固設し、該ロアリンクブラケット５ｂ・５ｂから左右外方へメインビーム５ａ・５ａが延設されている。左右一方のメインブーム５ａの外端部に下方延出状にチェーンケース４を設けるとともに、他外端部に側板４ａを設けている。該チェーンケース４と側板４ａとの間に耕耘軸３を横設し、耕耘爪駆動部を形成している。
【００１３】
チェーンケース４を取り付けた側のメインビーム５ａ内には、該チェーンケース４内のチェーン伝動装置に動力を伝達するための伝動軸４４が内設され、トラクタのＰＴＯ軸の動力を入力軸４３にて取り入れ、この伝動軸４４及びチェーン伝動装置を介して、耕耘軸３を回転駆動するものとなっている。また、前記ロアリンクブラケット５ｂ・５ｂの前端部には、ロータリー耕耘装置をトラクタの左右ロアリンクに連結するための左右一対のロアリンクヒッチピン５ｃ・５ｃが突設されている。
【００１４】
また、該ロータリー入力ギアケース５の左右中央の上方はアッパーアーム７を立設し、該アッパーアーム７の前上部には、トラクタのトップリンクに連結するためのトップリンク取付部７ｃを形成している。そして、トラクタの作業機装着装置のトップリンクのヒッチをトップリンク取付部７ｃに係止するとともに、該作業機装着装置のロアリンクのヒッチをロアリンクブラケット５ｃ・５ｃに係止するものとしている。
【００１５】
また、耕耘軸３に連結される爪軸に突設される耕耘爪を覆うようにロータリーカバー１を配設し、チェーンケース４とその反対側の側板４ａにおける耕耘軸３の軸受け部分に、ロータリーカバー１を耕耘爪の駆動部に対して前後回動自在に枢支している。該ロータリーカバー１の後端にはリヤカバーヒンジ１１を固設し、該リヤカバーヒンジ１１によりリヤカバー２の前端を枢支するとともに、リヤカバー２上端部に形成されるボス部２ａへ、ロータリーカバー１下端部に形成される連結ピン１ａを回動自在に挿入して、両者を連結している。さらに、ロータリーカバー１の前方にはフロントカバー１２が設けられており、該フロントカバー１２はチェーンケース４と側板４ａとにブラケット５１・５１を介して取り付けられている。
【００１６】
リヤカバー２には、左右一対のハンガーステー３１・３１が固設されており、ロータリーカバー１には左右一対のロアアーム１８・１８が固設されている。該ロアアーム１８とハンガーステー３１との間にはハンガーロッド２０が介装されており、該ロアアーム１８の先端部に横設されるホルダー軸１９にハンガーロッド２０が摺動自在に貫通するとともに、ハンガーステー３１にハンガーロッド２０の下端部が回動自在に支持されている。そして、リヤカバー２が回動すると、ハンガーロッド２０の上部がホルダー軸１９内を上下摺動する。
【００１７】
前記ハンガーロッド２０はリヤカバー２が回動すると前記ホルダー軸１９内を摺動するが、該ハンガーロッド２０にはスプリングを巻装して、リヤカバー２が後上方へ回動した際に、該スプリングによりリヤカバー２を下方側へ付勢可能に構成しており、該リヤカバー２により圃場を加圧可能としている。
【００１８】
また、アッパーアーム７の基端寄り部分にリテーナブラケット７ａを左右方向に横設し、左右一側を外側に突出させており、該リテーナブラケット７ａによりロータリーカバー操作スクリュウ９を回動自在に支持している。
【００１９】
該ロータリーカバー操作スクリュウ９はネジ杆（回動スクリュー）であって、先端に付設した操作ハンドル９ｃの回動操作によって伸縮するように構成している。ロータリーカバー操作スクリュウ９の基端は、ロータリーカバー１上に設けたブラケット１０に枢結され、ロータリーカバー操作スクリュウ９の伸縮量に応じてロータリーカバー１が前後回動する構成としている。そして、耕深設定時には、このロータリーカバー操作スクリュウ９の伸縮操作にてロータリーカバー１を前後回動し、その後部に配設したリヤカバー２の後端を圃場面に接する高さに合わせるのである。
【００２０】
次に、前記フロントカバー１２のチェーンケース４及び側板４ａへの取付構造について説明する。図２乃至図４に示すように、ロータリー耕耘装置のスタンド１５が、該スタンド１５を支持するスタンドブラケット１６を介してチェーンケース４に取り付けられており、該スタンド１５はスタンドブラケット１６に対し、回動支点１５ａを中心として上下回動可能に構成されている。また、チェーンケース４と側板４ａとの間に渡って設けられるフロントカバー１２は、ブラケット５１・５１を介して該チェーンケース４及び側板４ａに取り付けられている。
【００２１】
ブラケット５１の上端部は支持部５１ｃに対して略垂直に屈曲してカバー取付部５１ａに形成され、複数のボルト５２にてフロントカバー１２を該カバー取付部５１ａに締結している。チェーンケース４の前端部には、肉厚の板状部材が固設されて取付座４ｃが形成されるとともに、該前端部を前方に延出して形成されるフランジ部４ｂが突出している。ブラケット５１の下端部は支持部５１ｃに対して略垂直に屈曲してケース取付部５１ｂに形成され、該ケース取付部５１ｂは、複数のボルト５２にてチェーンケース４の取付座４ｃと締結されている。該取付座４ｃには、前記スタンドブラケット１６もボルト５２にて締結されており、該スタンドブラケット１６とブラケット５１のケース取付部５１ｂとは、該取付座４ｃに共締めされている。
【００２２】
また、ブラケット５１の支持部５１ｂにおけるチェーンケース側の端部は、ボルト５２によりチェーンケース４のフランジ部４ｂに締結されている。即ち、ブラケット５１は、複数のボルト５２によって、チェーンケース４の取付座４ｃとフランジ部４ｂとに締結されている。そして、チェーンケース４への取付部である、ブラケット５１のケース取付部５１ｂと支持部５１ｂにおけるチェーンケース側の端部とは、略垂直に屈曲されているので、ボルト５２によるケース取付部５１ｂの締結方向と、支持部５１ｂの締結方向とは互いに異なっている。尚、側板４ａ側に設けられるブラケット５１においても、同様に該側板４ａに締結されている。
【００２３】
このように、フロントカバー１２を支持するブラケット５１を、肉厚に形成されるチェーンケース４の取付座４ｃにスタンドブラケット１６と共締めするとともに、該チェーンケース４のフランジ部４ｂに締結し、該ブラケット４の取付座４ｃへの締結方向とフランジ部４ｂへの締結方向とを異ならせることにより、チェーンケース４とブラケット５１との接続部を強固にすることができ、チェーンケース４全体を薄板状部材で形成して軽量に構成しながら、該チェーンケース４に亀裂等の破損が生ずることを防止することができる。
【００２４】
また、図５、図６に示すように、ロータリーカバー１の下面には内カバー１ｂが取り付けられており、ロータリーカバー１の後部においては、該ロータリーカバー１と内カバー１ｂとの間に一定の空間が設けられている。また、ロータリーカバー１の上面には、左右一対のロアアーム１８がボルト５２により取り付けられている。
【００２５】
図７に示すように、ロアアーム１８が取り付けられている部分のロータリーカバー１と内カバー１ｂとの間には補強金具３２・３３・３４が設けられている。補強金具３２と補強金具３４、及び補強金具３３と補強金具３４とは溶接等により互いに接続され該補強金具３２・３３・３４が一体的に形成されており、該補強金具３２・３３・３４は、それぞれ溶接等により内カバー１ｂに固設されている。補強金具３２・３３・３４の上端部は平面状に形成されてロータリーカバー１の下面に接しており、該補強金具３２・３３・３４の上端部の下面にはナット５３が固設されている。
【００２６】
該ナット５３は、ロアアーム１８を取り付けるためのボルト５２の締結位置に合わせて設けられ、該ボルト５２をナット５３に締結することでロアアーム１８、ロータリーカバー１、及び補強金具３２・３３・３４が共締めされている。
【００２７】
補強金具３４は、板状部材の左右両端部を下方に屈曲し、下方屈曲した部分の先端部をさらに外側方向に屈曲して形成されており、この外側方向に屈曲した部分を内カバー１ｂに固設し、中央の平板部分がボルト５２にて締結されている。このように、補強金具３４は、平板状部材を屈曲して形成することで剛性を高めている。同様に、補強金具３２も、側面視において、平板状部材の両端部を下方屈曲するとともに、下方屈曲した部分の先端部をさらに外側方向に屈曲して剛性を高めている。さらに、補強金具３３は、側面視において、垂直方向に配置した平板状部材の前端部を前方へ屈曲するとともに、後端部を後方へ屈曲して剛性を高めている。そして、このように高剛性に形成した補強金具３２・３３・３４を互いに一体的に連結することで、補強金具３２・３３・３４全体としてさらに剛性を高めるようにしている。
【００２８】
また、図８に示すように、リヤカバー２を枢支する前記リヤカバーヒンジ１１が、ロータリーカバー１の左右略中央部にて複数のボルト５２により締結されることで、該ロータリーカバー１に固設されている。リヤカバーヒンジ１１が取り付けられている部分のロータリーカバー１と内カバー１ｂとの間には、ロアアーム１８の取付部と同様に、一体的に形成され内カバー１ｂに固設される補強金具３３・３４が設けられている。そして、ボルト５２を、補強金具３３・３４に固設されるナット５３に締結することでリヤカバーヒンジ１１、ロータリーカバー１、及び補強金具３３・３４が共締めされている。尚、補強金具は、本例では補強金具３３と補強金具３４とを一体的に形成したものを用いているが、ロアアーム１８の取付部に設けられる一体的に形成された補強金具３２・３３・３４と同じものを用いてもよい。この場合は、補強金具３２に固設されるナット５３にはボルト５２は締結されないこととなる。
【００２９】
このように、ロアアーム１８を、ナット５３が固設される補強部材３２・３３・３４を介して、複数のボルト５２により締結してロータリーカバー１に取り付けることで、ボルト５２をしっかりと締結することができ、ロータリーカバー１が振動したり衝撃が加わったりすることによるボルト５２の緩みの発生を防止することが可能となる。さらに、各補強部材３２・３３・３４は一体的に形成されているので、ロアアーム１８取付部におけるロータリーカバー１の剛性を向上することができ、該ロータリーカバー１の変形や破損を防止することができる。
【００３０】
また、リヤカバーヒンジ１１を、ナット５３が固設される補強部材３３・３４を介して、複数のボルト５２により締結してロータリーカバー１に取り付けることで、ボルト５２をしっかりと締結することができ、ロータリーカバー１が振動したり衝撃が加わったりすることによるボルト５２の緩みの発生を防止することが可能となる。さらに、各補強部材３３・３４は一体的に形成されているので、リヤカバーヒンジ１１取付部におけるロータリーカバー１の剛性を向上することができ、該ロータリーカバー１の変形や破損を防止することができるとともに、リヤカバー２をしっかりと支持することができる。
【００３１】
また、図６に示すように、左右一対のロアアーム１８の取付部及びリヤカバーヒンジ１１の取付部に設けられる補強金具３４は、ロータリーカバー１の左右範囲内にて、左右方向に略等間隔に配置されている。このように、補強部材３４を配置することで、全体的に均一にロータリーカバー１の剛性を向上することができ、該ロータリーカバー１に衝撃や力がかかった場合の変形や破損を防止することができる。
【００３２】
また、図８に示すように、前記リヤカバーヒンジ１１のリヤカバー支持部１１ａは円筒形状に形成されており、該リヤカバー支持部１１ａへ、リヤカバー２に固設される支持パイプ５５を挿嵌することにより、該リヤカバー２を支持している。このように、円筒形状に形成したリヤカバー支持部１１ａによってリヤカバー２を支持することにより、リヤカバー２に大きな力がかかった場合でも、該リヤカバー支持部１１ａが変形することはなく、リヤカバー２を確実に保持することができる。
【００３３】
次に、チェーンケース４及び側板４ａの下端部に支持される耕耘軸３の軸受部分の構造について説明する。図９に示すように、チェーンケース４の下端部内側には駆動軸ホルダー２１が固設されており、該駆動軸ホルダー２１に、耕耘軸３がベアリング５６を介して回転自在に支持されている。駆動軸ホルダー２１の内側端部には、耕耘軸３の軸受部に草等の異物が絡みつくのを防止するためのダストカバー２２が、スペーサ２５を介して回転可能に外嵌されている。
【００３４】
スペーサ２５は例えば合成樹脂により構成されており、金属部材で構成される駆動軸ホルダー２１とダストカバー２２との間に介装することで、該ダストカバー２２が駆動軸ホルダー２１に対してスムーズに回動できるようにしている。また、該スペーサ２５外周部は、左右略中央部が左右両端部よりも突出した形状に形成されており、該スペーサ２５に外嵌されるダストカバー２２の内周部は、スペーサ２５外周部の形状に合わせて左右略中央部を凹陥して形成されている。このように、スペーサ２５外周の左右略中央部に形成される凸部と、ダストカバー２２内周部に形成される凹陥部とを嵌め合わすようにして、該ダストカバー２２をスペーサ２５に外嵌することで、ダストカバー２２が回動動作を繰り返すことによりスペーサ２５が外れてしまうことを防止している。
【００３５】
耕耘軸３の内側端部には外周方向に延設されるフランジ部３ａが形成されており、該フランジ部３ａと、爪軸６の外側端部に形成されるフランジ部６ｂとが接続されている。これにより、耕耘軸３と爪軸６とが一体的に回転可能とされている。該爪軸６には複数の耕耘爪６ａが放射状に取り付けられている。
【００３６】
ダストカバー２２は円板状部材の外周部を内側に延出して形成されており、内側に延出される延出部２２ａの先端は、耕耘軸３のフランジ部３ａの外周まで達し、該延出部２２ａとフランジ部３ａの外周は摺接している。即ち、耕耘軸３の軸受であるベアリング５６及びその周辺部は、駆動軸ホルダー２１に外嵌されフランジ部３ａまで延出されるダストカバー２２により、外部に対して密閉されている。このように、耕耘軸３の軸受部をダストカバー２２により外部に対して密閉することにより、該軸受部へ草や藁等の異物が侵入することを完全に防いで、耕耘軸の駆動回転に影響を及ぼすことを防止することができる。
【００３７】
また、ダストカバー２２の上端部には、ロータリーカバー１の左右端部から下方に延設されるサイドカバー１ｃの下端部がボルト５２により締結されており、該ダストカバー２２によりロータリーカバー１が前後回動可能に支持されている。該ダストカバー２２とサイドカバー１ｃとの締結部においては、ボルト５２の頭部５２ａの外周を覆って該頭部を保護する保護カバー２３が、該ボルト５２により共締めされている。
【００３８】
この保護カバー２３は例えば薄板状の金属部材により形成されており、図１１に示す如く、該保護カバー２３をボルト５２の頭部５２ａ側へ押し潰すことで、該頭部５２ａの回転を阻止することができる。即ち、ボルト５２の頭部５２ａを保護する保護カバー２３を、該ボルト５２の緩み止め部材として用いることも可能なのである。このように、ボルト５２の保護カバー２３を、該ボルト５２の緩み止め部材としても用いることにより、特別な部材を設けることなく、容易にボルト５２の緩みを防止することが可能となる。
【００３９】
また、図１０に示すように、側板４ａ側の受動軸３’の軸受部においても、同様に構成している。即ち、側板４ａの下端部内側には耕耘軸ホルダー２１が固設されており、該耕耘軸ホルダー２１に、耕耘軸３がベアリング５６を介して回転自在に支持されている。耕耘軸ホルダー２１の内側端部には前記ダストカバー２２が、スペーサ２５を介して回転可能に外嵌されている。また、耕耘軸３のフランジ部３ａと爪軸６のフランジ部６ｂとが接続されて、該耕耘軸３と爪軸６とが一体的に回転可能とされている。
【００４０】
そして、ダストカバー２２の延出部２２ａの先端が耕耘軸３のフランジ部３ａの外周に摺接し、耕耘軸３の軸受であるベアリング５６及びその周辺部がダストカバー２２によって、外部に対して密閉されている。また、ダストカバー２２の上端部には、ロータリーカバー１の左右端部から下方に延設されるサイドカバー１ｃの下端部がボルト５２により締結されており、該ダストカバー２２によりロータリーカバー１が前後回動可能に支持されている。
【００４１】
このように、耕耘軸３の軸受部をダストカバー２２により外部に対して密閉することにより、該軸受部へ草や藁等の異物が侵入することを完全に防いで、耕耘軸の駆動回転に影響を及ぼすことを防止するようにしている。尚、側板４ａ側においても、ボルト５２の頭部５２ａを保護する保護カバー２３をボルト５２の頭部５２ａ側へ押し潰して、該ボルト５２の緩み止め部材として用いることが可能である。
【００４２】
即ち、チェーンケースに取り付けられフロントカバーを支持するためのブラケットにおけるチェーンケースへの取付部が、チェーンケースの前端面に形成される取付座に、スタンドの支持ブラケットと共締めされるとともに、該チェーンケースの前端部から前方へ突出されるフランジ部に締結され、該ブラケットの取付座への締結方向とフランジ部への締結方向とを異ならせたので、チェーンケースとブラケットとの接続部を強固にすることができ、チェーンケース全体を薄板状部材で形成して軽量に構成しながら、該チェーンケースに亀裂等の破損が生ずることを防止することができる。
【００４３】
さらに、ロータリーカバーに取り付けられハンガーロッド上端部を支持するためのロアアームを、複数のボルト部材により補強部材を介して該ロータリーカバーに締結し、各ボルト部材の締結部に介装される補強部材を一体的に形成したので、ボルト部材をしっかりと締結することができ、ロータリーカバーが振動したり衝撃が加わったりすることによるボルト部材の緩みの発生を防止することが可能となる。さらに、各補強部材は一体的に形成されているので、ロアアーム取付部におけるロータリーカバーの剛性を向上することができ、該ロータリーカバーの変形や破損を防止することができる。
【００４４】
さらに、リヤカバーを回動自在に支持するリヤカバーヒンジを、補強部材を介してロータリーカバーに取り付けたので、該リヤカバーヒンジをロータリーカバーに締結するボルト部材を、しっかりと締結することができ、ロータリーカバーが振動したり衝撃が加わったりすることによるボルト部材の緩みの発生を防止することが可能となる。さらに、各補強部材は一体的に形成されているので、リヤカバーヒンジ取付部におけるロータリーカバーの剛性を向上することができ、該ロータリーカバーの変形や破損を防止することができるとともに、リヤカバーをしっかりと支持することができる。
【００４５】
さらに、前記補強部材を、ロータリーカバーに複数取り付け、該各補強部材を左右方向へ略等間隔に配置したので、全体的に均一にロータリーカバーの剛性を向上することができ、該ロータリーカバーに衝撃や力がかかった場合の変形や破損を防止することができる。
【００４６】
さらに、前記リヤカバーヒンジのリヤカバー支持部を、円筒形状に形成したので、リヤカバーに大きな力がかかった場合でも、リヤカバーヒンジのリヤカバー支持部が変形することはなく、リヤカバーを確実に保持することができる。
【図面の簡単な説明】
【００４７】
【図１】本発明のロータリー耕耘装置を示す平面図である。
【図２】フロントカバーの支持部を示す側面図である。
【図３】フロントカバーを支持するブラケットとチェーンケースとの接続部を示す平面図である。
【図４】同じく正面図である。
【図５】ロアアーム及びリヤカバーヒンジのロータリーカバーへの取付部を示す側面図である。
【図６】同じく後面図である。
【図７】ロアアームのロータリーカバーへの取付部を示す拡大側面図である。
【図８】リヤカバーヒンジのロータリーカバーへの取付部を示す拡大側面図である。
【図９】耕耘軸のチェーンケース側の軸受部を示す後面図である。
【図１０】耕耘軸の側板側の軸受部を示す後面図である。
【図１１】ダストカバーとサイドカバーとを締結するボルトの保護カバーを示す後面図である。
【符号の説明】
【００４８】
１  ロータリーカバー
２  リヤカバー
３  耕耘軸
４  チェーンケース
４ａ  側板
４ｂ  フランジ部
４ｃ  取付座
６  爪軸
１１  リヤカバーヒンジ
１２  フロントカバー
１６  スタンドブラケット
１８  ロアアーム
２２  ダストカバー
２２ａ  延出部
２３  保護カバー
３２・３３・３４  補強部材
５１  ブラケット
５２  ボルト
５３  ナット
【図１】
2008228739.tif 000003
【図２】
2008228739.tif 000004
【図３】
2008228739.tif 000005
【図４】
2008228739.tif 000006
【図５】
2008228739.tif 000007
【図６】
2008228739.tif 000008
【図７】
2008228739.tif 000009
【図８】
2008228739.tif 000010
【図９】
2008228739.tif 000011
【図１０】
2008228739.tif 000012
【図１１】
2008228739.tif 000013